(57)【要約】【課題】フロントパネルを容易に取り外すことができ、すっきりとした外観を得ることができる天井ユニットを提供する。【解決手段】天井ユニットＵは、開口１１が設けられた天井パネル１０と、開口１１に臨み、天井パネル１０の室内側に面する天井面１４より上方に取り付けられた暖房換気乾燥機３０とを備えている。天井パネル１０は、開口１１の周縁部の内側に立ち上がる立上壁２１を支持している。立上壁２１は暖房換気乾燥機３０が取り付けられる取付部２３を上端部に形成している。立上壁２１の内側にフロントパネル４０が配置されている。フロントパネル４０は、暖房換気乾燥機３０の下面を覆うとともに室内側に面する下面が外周側に隣接したアダプタ２０の鍔部２２の下面と略面一である。【選択図】図３
2010163806.tif 000002
【特許請求の範囲】
【請求項１】
開口が設けられた天井部材と、開口に臨み、天井部材の室内側に面する天井面より上方に取り付けられた取付対象物とを備えた天井ユニットであって、
前記取付対象物が取り付けられる取付部が上端部に形成され、前記天井部材に支持されて前記開口の周縁部、又はその内側もしくは外側に立ち上がる立上壁と、
前記立上壁の内側、かつ前記開口の周縁部の内側に配置され、前記取付対象物の下面を覆うとともに室内側に面する下面が外周側に隣接した部材の下面と略面一であるフロントパネルとを備えていることを特徴とする天井ユニット。
【請求項２】
前記天井部材に取り付けられ、前記開口の周縁部の内側に配置されたアダプターを備え、アダプターは上下方向に貫通する空洞を形成した枠状の前記立上壁を有していることを特徴とする請求項１記載の天井ユニット。
【請求項３】
前記アダプターは、前記立上壁の下端部から外側に延びて形成され、前記開口の周縁部の前記天井面を覆い、室内側に露出する鍔部を有していることを特徴とする請求項２記載の天井ユニット。
【請求項４】
前記アダプターは、前記立上壁の上端部から内側に延び、所定幅に形成された前記取付部を有し、取付部の上面に接合されたアダプター補強金具を備えていることを特徴とする請求項２又は３記載の天井ユニット。
【請求項５】
前記アダプター補強金具は、前記取付部より外側に延出する延出部を有し、延出部と前記前記アダプターの鍔部との間で前記天井部材を挟持していることを特徴とする請求項４記載の天井ユニット。
【請求項６】
前記天井部材は、上面に接合され、前記開口を挟んで同一方向に延びる一対の補強材を有し、補強材の上面に前記アダプター補強金具の延出部が載置されていることを特徴とする請求項５記載の天井ユニット。
【請求項７】
前記立上壁が前記天井部材に一体に形成されていることを特徴とする請求項１記載の天井ユニット。
【請求項８】
前記立上壁は、前記天井部材の上面よりも上方まで延びていることを特徴とする請求項１乃至７のいずれか１項記載の天井ユニット。
【請求項９】
前記取付対象物は換気機能及び暖房機能を有する空調装置であり、
前記フロントパネルは、前記空調装置の吸込み口の下部に設けられたフィルターと、空調装置の吹出し口の下部に設けられ、温風の吹出し方向を規制するルーバーとを有していることを特徴とする請求項１乃至８のいずれか１項記載の天井ユニット。
【発明の詳細な説明】
【技術分野】
【０００１】
本発明は天井ユニットに関する。
【背景技術】
【０００２】
特許文献１には、従来の天井ユニットが開示されている。この天井ユニットは、開口が設けられた天井部材と、開口に臨み、天井部材より上方に取り付けられた換気扇とを備えている。また、この天井ユニットは、開口の周縁部の天井部材に取り付けられたアダプターを有している。アダプターは、開口の周縁部の内側に立ち上がる立上壁を有している。立上壁の下端部には、外側に延びる鍔部が形成されている。鍔部が開口の周縁部の天井部材に対し、下方から螺子止め固定されている。また、アダプターは、立上壁の上端部に内側に延び、所定幅に形成された取付部を有している。換気扇は、下端部に形成された外側に延びる取付用鍔部を有している。換気扇は、アダプターの取付部の内側を挿通し、取付用鍔部の上面を取付部の下面に当接させ、螺子止め固定されている。さらに、この天井ユニットは、天井面に周縁を当接させて取り付けられ、開口よりも大きいフロントパネルを備えている。このように構成された従来の天井ユニットでは、換気扇が天井部材の上面よりも高い位置に配置することができるため、天井部材の上方で換気扇に排気管を接続する際、天井部材が干渉せず容易に接続することができる。
【先行技術文献】
【特許文献】
【０００３】
【特許文献１】実開昭６２−４３２３６号公報
【発明の概要】
【発明が解決しようとする課題】
【０００４】
しかし、上記特許文献１の天井ユニットでは、フロントパネルを開口より大きく形成しなければならないため、フロントパネルが大型化してしまう。このため、フロントパネルの取り外しに手間を要する。また、フロントパネルの大型化とともに、周縁が天井面に当接して取り付けられているため、フロントパネルは天井面から大きく下方へ突出してしまう。このため、室内空間においてフロントパネルの存在が大きく感じられ、目立ち過ぎてしまう。
【０００５】
本発明は、上記従来の実情に鑑みてなされたものであって、フロントパネルを容易に取り外すことができ、すっきりとした外観を得ることができる天井ユニットを提供することを解決すべき課題としている。
【課題を解決するための手段】
【０００６】
本発明の天井ユニットは、開口が設けられた天井部材と、開口に臨み、天井部材の室内側に面する天井面より上方に取り付けられた取付対象物とを備えた天井ユニットであって、
前記取付対象物が取り付けられる取付部が上端部に形成され、前記天井部材に支持されて前記開口の周縁部、又はその内側もしくは外側に立ち上がる立上壁と、
前記立上壁の内側、かつ前記開口の周縁部の内側に配置され、前記取付対象物の下面を覆うとともに室内側に面する下面が外周側に隣接した部材の下面と略面一であるフロントパネルとを備えていることを特徴とする。
【０００７】
この天井ユニットでは、フロントパネルが立上壁の内側、かつ開口の周縁部の内側に配置されているため、フロントパネルが天井部材の開口より小さく形成され、大型化を避けることができる。また、フロントパネルは、下面が外周側に隣接した部材の下面と略面一であるため、隣接した部材が天井部材である場合には、フロントパネルの下面を天井面と略同一面にすることができる。また、隣接した部材が天井部材に取り付けられた部材である場合には、その部材の天井面からの突出量を小さくすることにより、フロントパネルの下面の天井面からの突出量も小さくすることができる。
【０００８】
したがって、本発明の天井ユニットは、フロントパネルを容易に取り外すことができ、すっきりとした外観を得ることができる。
【０００９】
前記天井部材に取り付けられ、前記開口の周縁部の内側に配置されたアダプターを備え、アダプターは上下方向に貫通する空洞を形成した枠状の前記立上壁を有し得る。この場合、アダプターを天井部材に取り付けることにより、天井部材に支持された立上壁を開口の周縁部の内側に容易に形成することができる。
【００１０】
前記アダプターは、前記立上壁の下端部から外側に延びて形成され、前記開口の周縁部の前記天井面を覆い、室内側に露出する鍔部を有し得る。この場合、アダプターの鍔部が開口の周縁部の天井面を覆い、室内側に露出するため、開口の小口及び周縁部の天井面をアダプターの取り付けと同時に鍔部により隠蔽することができる。これにより、開口の周縁部の天井面にねじ込まれたビス等が存在する場合であっても、そのビス等も鍔部により隠蔽することができる。このため、天井ユニットの外観をすっきりとしたものにすることができる。
【００１１】
前記アダプターは、前記立上壁の上端部から内側に延び、所定幅に形成された前記取付部を有し、取付部の上面に接合されたアダプター補強金具を備え得る。この場合、アダプター補強金具により取付部の強度が補強されるため、取付対象物を強固に取付部に取り付けることができる。また、取付対象物をアダプターの下方から取付部の内側に挿通させ、下方から取付部に対して螺子止め固定等をすることが可能となり、取付対象物を室内側からアダプターに容易に取り付けることができる。
【００１２】
前記アダプター補強金具は、前記取付部より外側に延出する延出部を有し、延出部と前記アダプターの鍔部との間で前記天井部材を挟持し得る。この場合、天井部材を挟んでアダプターとアダプター補強金具を配置し、アダプターの取付部にアダプター補強金具を接合することにより、延出部とアダプターの鍔部との間で天井部材を挟持することができる。これにより、天井部材にアダプターを仮止めすることができる。このため、アダプターを仮止めした後、天井部材に容易に取り付けることができる。また、アダプターを仮止めした状態で、アダプターの取り付け位置を調整することができ、適切な位置にアダプターを取り付けることができる。
【００１３】
前記天井部材は、上面に接合され、前記開口を挟んで同一方向に延びる一対の補強材を有し、補強材の上面に前記アダプター補強金具の延出部が載置され得る。この場合、アダプターに取り付けられた取付対象物の重量は、アダプター補強金具を介して天井部材の上面に接合された補強材に加わる。このため、取付対象物を天井部材の全体で保持することになり、取付対象物を確実に保持することができる。
【００１４】
前記立上壁が前記天井部材に一体に形成され得る。この場合、天井ユニットの構造が簡易になり、取付対象物を天井部材に取り付ける際の作業性を向上させることができる。
【００１５】
前記立上壁は、前記天井部材の上面よりも上方まで延び得る。この場合、取付部を天井部材の上面よりも高い位置に設けることができるため、取付対象物を天井部材の上面よりも高い位置に配置することができる。これにより、取付対象物に対して天井部材の上方で接続される部材などがあった場合、その部材が天井部材に干渉することなく容易に接続することができる。
【００１６】
前記取付対象物は換気機能及び暖房機能を有する空調装置であり、
前記フロントパネルは、前記空調装置の吸込み口の下部に設けられたフィルターと、空調装置の吹出し口の下部に設けられ、温風の吹出し方向を規制するルーバーとを有し得る。
【００１７】
この場合、天井部材に空調装置を容易に組み付けることができる。また、フロントパネルによって、所定の方向に温風を吹き出させることができるため、室内環境を快適に保つことができる。
【図面の簡単な説明】
【００１８】
【図１】実施例の天井ユニットを用いた浴室を示す外観図である。
【図２】実施例１の天井ユニットの分解斜視図である。
【図３】実施例１の天井ユニットに係り、図１の矢視Ｘ、Ｙにおける部分断面図である。
【図４】実施例１の天井ユニットに係り、図１の矢視Ｚにおける部分断面図である。
【図５】実施例１の天井ユニットに係り、天井パネルにアダプター及びアダプター補強金具を取り付ける工程を示す斜視図である。
【図６】実施例１の天井ユニットに係り、天井パネルにアダプター及びアダプター補強金具が取り付けられた状態を示す斜視図である。
【図７】実施例１の天井ユニットに係り、アダプターに暖房換気乾燥機を取り付ける工程を示す斜視図である。
【図８】実施例１の天井ユニットに係り、暖房換気乾燥機にフロントパネルを取り付ける工程を示す斜視図である。
【図９】実施例２の天井ユニットの要部断面図である。
【図１０】実施例３の天井ユニットの要部断面図である。
【図１１】実施例４の天井ユニットの要部断面図である。
【発明を実施するための形態】
【００１９】
以下、本発明の天井ユニットを具体化した実施例１〜４を図面を参照しつつ説明する。
【実施例１】
【００２０】
実施例１の天井ユニットＵは、図１に示すように、浴室の天井に用いられている。この浴室は、洗い場を形成する床パネルＦと、浴槽Ｔと、図示しない水栓金具等が取り付けられた壁パネルＷと、天井を形成する天井ユニットＵ及び天井パネルＣとを有している。天井ユニットＵ及び天井パネルＣは、壁パネルＷの上端に載置されている。天井ユニットＵと天井パネルＣとは連結されている。
【００２１】
天井ユニットＵは、図２に示すように、天井部材である天井パネル１０と、補強材１３と、アダプター２０と、アダプター補強金具２４と、取付対象物である暖房換気乾燥機３０と、フロントパネル４０とを有している。
【００２２】
天井パネル１０は長方形状である。天井パネル１０には長方形状の開口１１が略中央に設けられている。天井パネル１０は、図３及び図４に示すように、石膏ボード１０Ａと、石膏ボード１０Ａに貼着された鋼板１０Ｂとから形成されている。鋼板１０Ｂが浴室側に面し、天井面１４を形成している。開口１１の小口にはアルミテープ１２が貼着されている。これにより、石膏ボード１０Ａの端部が崩れたり、鋼板１０Ｂの端部が錆びたりすることを防止している。
【００２３】
天井パネル１０の上面には、図２〜図４に示すように、開口１１を挟み、天井パネル１０の長辺方向に沿って同一方向に延びる一対の補強材１３が接合されている。補強材１３はＣ型金具であり、一片が天井パネル１０の上面に両面テープにより接着され、かつ螺子止め固定されている。補強材１３の一方は、天井パネル１０の長辺と同じ長さを有し、天井パネル１０の一端から他端まで延びている。補強材１３の他方は、開口１１の長辺よりも長く、かつ天井パネル１０の長辺よりも短い長さを有し、両端の夫々が天井パネル１０の端部から所定間隔離れて取り付けられている。このため、他方の補強材１３の両端部より外側の天井パネル１０の上面に、照明器具等を取り付けることができる平坦なスペースを確保している。
【００２４】
天井パネル１０の開口１１にはアダプター２０が取り付けられている。アダプター２０は、天井ユニットＵが壁面Ｗの上端に載置された状態で、上下方向に貫通する空洞Ｈを形成し、上下方向に所定幅を有する矩形枠状の立上壁２１を有している。立上壁２１は開口１１の内側に立ち上げられている。立上壁２１は、開口１１の周縁部に沿って形成されている。
【００２５】
アダプター２０は、立上壁２１の下端部から外側に延びて形成された鍔部２２を有している。立上壁２１が開口１１に挿入され、鍔部２２が開口１１の周縁部の天井面１４を覆っている。この状態で鍔部２２は、補強材１３を固定している螺子の頭部も覆っている。このように、螺子の頭部が浴室内に露出せず、鍔部２２が浴室内に露出するため、開口１１の周縁部の外観をすっきりとしたものにしている。鍔部２２の外周端部と天井面１４との間にはシリコンＳが充填され、コーキングされている。また、立上壁２１と鍔部２２とにより形成された角部の内側に貼着された発泡部材Ｒが天井面１４により圧縮されている。これにより、コーキングが切れた場合でも鍔部２２と天井面１４との間から浴室内の蒸気等が天井パネル１０の上方に侵入してしまうことを防止している。
【００２６】
アダプター２０は、立上壁２１の上端部から内側に延び、所定幅に形成された取付部２３を有している。取付部２３には、螺子孔が貫設された複数のボス２３Ａ、２３Ｂが設けられている。アダプター２０の取付部２３の上面には、アダプター補強金具２４が接合されている。アダプター補強金具２４は、ボス２３Ａの下方から挿入された螺子により取付部２３に螺子止め固定されている。
【００２７】
アダプター補強金具２４は、二対のＬ型金具２４Ａ、２４Ｂを連結して形成されている。一方のＬ型金具２４Ａの両端部は、他方のＬ型金具２４Ｂの両端部より内側に連結されているため、他方のＬ型金具２４Ｂの両端部は外側にはみ出し、延出部２４Ｅを形成している。延出部２４Ｅは、アダプター補強金具２４が取付部２３に接合された状態で取付部２３より外側に延出している。延出部２４Ｅは、天井パネル１０の上面に接合された補強材１３に載置され、螺子止め固定されている。このように、アダプター２０が天井パネル１０の開口１１に取り付けられている。
【００２８】
暖房換気乾燥機３０は、図７に示すように、筐体３１内に吸気ファン３４と熱源３５とを有している。吸気ファン３４の吸込み口及び熱源３５の吹出し口は下方に向けて開口している。筐体３１は、下端部の周縁から外側に延びて形成された取付用鍔部３２を有している。取付用鍔部３２には、複数の螺子孔３２Ａが貫設されている。また、取付用鍔部３２の下面には、フロントパネル４０を取り付けるためのボス３２Ｂが四隅に設けられている。筐体３１の側面には、排気ダクト３４の接続口３３が設けられている。
【００２９】
暖房換気乾燥機３０は、図２〜図４に示すように、アダプター２０の空洞部Ｈ及び取付部２３の内側を下方から挿通し、取付用鍔部３２の上面が取付部２３の下面に当接している。取付用鍔部３２に貫設された螺子孔３２Ａに下方から挿入された螺子は、アダプター２０の取付部２３に貫設された螺子孔２３Ｂを貫通し、アダプター補強金具２４のＬ型金具２４Ｂにねじ込まれている。このようにして、暖房換気乾燥機３０は天井パネル１０の上面よりも高い位置に取り付けられている。また、暖房換気乾燥機３０の重量は、アダプター補強金具２４を介して天井パネル１０の上面に接合された補強材１３に加わる。このため、暖房換気乾燥機３０を天井パネル１０の全体で保持することになり、暖房換気乾燥機３０を確実に保持することができる。また、暖房換気乾燥機３０は、取付用鍔部３２に貫設された螺子孔３２Ａに下方から螺子を挿入し取り付けることができるため、浴室内から暖房換気乾燥機３０の取り付け作業を行うことができる。このため、暖房換気乾燥機３０をメンテナンスする際等にも浴室内から暖房換気乾燥機３０を取り外し及び取り付けが可能であり、メンテナンス等を容易に行うことができる。
【００３０】
接続口３３には、図示しない建築躯体の壁面を貫通し、外部に連通する排気ダクト３４が接続されている。暖房換気乾燥機３０が天井パネル１０の上面よりも高い位置に取り付けられているため、接続口３３も天井パネル１０の上面よりも高い位置に配置されている。このため、接続口３３に排気ダクト３４を接続する際、天井パネル１０の上面等に排気ダクト３４が干渉することなく、建築躯体の壁面側に向けて下り勾配を形成しつつ、容易に接続することができる。
【００３１】
フロントパネル４０は、周縁から立ち上がって形成された立上片４５を有している。フロントパネル４０は、フロントパネル４０がアダプター２０に取り付けられた際、立上片４５が立上壁２１の内側に沿うように形成されている。このため、フロントパネル４０は、立上壁２１の内側、かつ天井パネル１０の開口１１より小さく形成されているため、大型化を避けることができる。
【００３２】
したがって、実施例１の天井ユニットは、フロントパネル４０を容易に取り外すことができる。
【００３３】
フロントパネル４０は、暖房換気乾燥機３０の取付用鍔部３２の下面に設けられたボス３２Ｂに対応する位置に螺子孔が貫設されたボス４４が設けられている。ボス４４には、下方から挿入された螺子の頭部を収納する凹部が設けられている。凹部に挿入された螺子がボス４４の螺子孔を貫通してボス３２Ｂにねじ込まれている。このようにして、フロントパネル４０は暖房換気乾燥機３０の下方に取り付けられる。ボス４４の凹部の下端開口は、蓋部材４５により閉鎖されている。
【００３４】
フロントパネル４０が暖房換気乾燥機３０の下方に取り付けられた状態で、フロントパネル４０の下面は、外周側に隣接するアダプター２０の鍔部２２の下面と略面一である。鍔部２２の天井面１４からの突出量は僅かであるため、フロントパネル４０の天井面１４からの突出量を僅かにすることができる。
【００３５】
したがって、実施例１の天井ユニットＵは、すっきりとした外観を得ることができる。
【００３６】
フロントパネル４０は、暖房換気乾燥機３０の吸気ファン３４の吸込み口に下方に位置するように設けられた格子状の吸込み口４２と、熱源３５の吹出し口の下方に位置するように設けられたルーバー４１とを有している。吸込み口４２の上側にはフィルター４３が取り付けられている。このため、フロントパネル４０を取り外すことで、フィルター４３のメンテナンス等を容易に行うことができる。ルーバー４１は温風が浴室内の洗い場にむけて吹き出すように傾斜して設けられている。このため、洗い場を利用する使用者に効率的に温風を吹き出すことができるとともに、浴室内の環境を快適に保つことができる。
【００３７】
フロントパネル４０がアダプター２０に取り付けられた状態で、フロントパネル４０の立上片４５の上端面がアダプター２０の取付部２３の下面に当接している。このため、吸気ファン３４を駆動した際、フロントパネル４０の立上片４５とアダプター２０の取付部２３との間から浴室内の空気を吸引せず、フロントパネル４０の吸込み口４２から吸引する。このため、浴室内の空気はフィルター４３を通過するため、ほこり等が吸気ファン３４内に侵入することを防止することができる。
【００３８】
次に実施例１の天井ユニットＵの組み立て工程を説明する。
【００３９】
先ず、天井パネル１０の上面側に一対の補強材１３を両面テープにより貼着する。次に、天井パネル１０の開口１１の小口にアルミテープ１２を貼着する。その後、天井パネル１０の天井面１４側から螺子をねじ込み補強材１３を固定する。一方、アダプター補強金具２４を二対のＬ型金具２４Ａ、２４Ｂを連結して組み立てる。この際、一方のＬ型金具２４Ａの両端部を他方のＬ型金具２４Ｂの両端部よりも内側に連結し、延出部２４Ｅを形成させる。
【００４０】
次に、図５に示すように、アダプター２０とアダプター補強金具２４とで天井パネル１０を挟みこんで、アダプター２０とアダプター補強金具２４とを螺子止め固定する。これにより、延出部２４Ｅとアダプター２０の鍔部２２との間で天井パネル１０及び補強材１３を挟持し、アダプター２０を天井パネル１０に仮止めする。アダプター２０を天井パネル１０に仮止めすることができるため、図６に示すように、アダプター補強金具２４の延出部２４Ｅを補強材１３に螺子止め固定する際に、アダプター２０等を手で支えることが不要となり、アダプター２０の位置を適切な位置に容易に調整することができる。このようにしてアダプター２０を天井パネルに取り付ける。
【００４１】
次に、図７に示すように、アダプター２０が取り付けられた天井パネル１０に対して、暖房換気乾燥機３０を取り付ける。暖房換気乾燥機３０をアダプター２０の空洞部Ｈに挿通させ、取付用鍔部３２の上面側をアダプター２０の取付部２３の下面側に当接させる。この状態で、螺子孔３２Ａに螺子を挿入し、取付部２３を貫通させてアダプター補強金具２４にねじ込む。このようにして、暖房換気乾燥機３０は、天井パネル１０に容易に取り付けることができる。新規に浴室を施工する際には、天井パネル１０に暖房換気乾燥機３０を取り付けた後、その天井パネル１０を壁パネルＷの上端に載置すると良い。また、天井パネル１０に暖房換気乾燥機３０を取り付ける前に天井パネル１０を壁パネルＷの上端に載置したとしても、浴室内から暖房換気乾燥機３０を取り付けることが可能である。
【００４２】
天井パネル１０の暖房換気乾燥機３０を取り付けた後、図８に示すように、フロントパネル４０を暖房換気乾燥機３０の下方側に取り付ける。この際、フィルター４３は吸込み口４２の上面側に取り付けられている。フロントパネル４０を暖房換気乾燥機３０にねじ止め固定した後、ボス４４の凹部の下端開口に蓋部材４５を嵌める。このようにして、天井パネル１０にアダプター２０、暖房換気乾燥機３０及びフロントパネル４０を容易に取り付けることができる。
【実施例２】
【００４３】
実施例２の天井ユニットＵは、図９に示すように、立上壁５１等の構成が実施例１とは異なるものである。その他の構成については、実施例１と同じであるため、同じ構成については、同一符号を付し、構造、作用及び効果の説明は省略する。
【００４４】
実施例２の立上壁５１は、天井パネル１０の鋼板１０Ｂを石膏ボード１０Ｂの端部より内側へ延長し、上方に立ち上げて形成されたものである。立上壁５１により天井パネル１０の開口が形成されている。立上壁５１の上端には、内側に延びる取付部５２が連続して形成されている。立上壁５１及び取付部５２は天井パネル１０を構成する鋼板１０Ｂによって一体に形成されている。このため、天井ユニットＵの構造が簡易になり、暖房換気乾燥機３０を天井パネル１０に取り付ける際の作業性を向上させることができる。天井パネル１０の上面にはＬ型金具による補強材６１が接着剤により接合され、取付部５２の上面にはＬ型金具による補強金具５３が螺子止め固定されている。補強材６１と補強金具５３とは、各立上片部を螺子止め固定されている。これにより、立上壁５１及び取付部５２の強度を補強し、暖房換気乾燥機３０を確実に保持することができる。
【００４５】
実施例２の天井ユニットＵでは、フロントパネル４０は、立上壁５１の内側に配置されている。また、フロントパネル４０の下面は、外周側に隣接する天井パネル１０の天井面１４と略面一である。したがって、実施例２の天井ユニットＵも、フロントパネル４０を容易に取り外すことができ、すっきりとした外観を得ることができる。
【実施例３】
【００４６】
実施例３の天井ユニットＵは、図１０に示すように、天井パネル１０等の構成が実施例１等とは異なるものである。その他の構成については、実施例１等と同じであるため、同じ構成については、同一符号を付し、構造、作用及び効果の説明は省略する。
【００４７】
実施例３の天井パネル１０は樹脂製のものである。天井パネル１０が延長され、上方に立ち上がる立上壁７１と、立上壁７１の上端から内側に延びる取付部７２とを形成している。立上壁７１及び取付部７２が天井パネル１０と一体に形成されている。このため、天井ユニットＵの構造が簡易になり、暖房換気乾燥機３０を天井パネル１０に取り付ける際の作業性を向上させることができる。取付部７２の上面にはＬ型金具による補強金具７３が螺子止め固定されている。これにより、取付部７２の強度を補強し、暖房換気乾燥機３０２を確実に保持することができる。
【００４８】
実施例３の天井ユニットＵでは、フロントパネル４０は、立上壁７１の内側に配置されている。また、フロントパネル４０の下面は、外周側に隣接する天井パネル１０の天井面１４と略面一である。したがって、実施例３の天井ユニットＵも、フロントパネル４０を容易に取り外すことができ、すっきりとした外観を得ることができる。
【実施例４】
【００４９】
実施例４の天井ユニットＵは、図１１に示すように、立上壁８１Ａ等の構成が実施例１等とは異なるものである。その他の構成については、実施例１等と同じであるため、同じ構成については、同一符号を付し、構造、作用及び効果の説明は省略する。
【００５０】
実施例４の立上壁８１Ａは、天井パネル１０の上面に接着剤により接合された補強材８１Ａにより形成されている。補強材８１は、開口１１に沿って天井パネル１０の上面に接合される接合片８１Ｂと、接合片８１Ｂの開口１１から遠い辺部から上方に立ち上る立上壁８１Ａと、立上壁８１Ａの上端から内側に延びる取付片８１Ｃとから形成されている。立上壁８１Ａは開口１１の周縁部の外側に立ち上っている。取付片８１Ｃは開口１１の周縁部の内側の上方まで延びている。取付片８１Ｃの下面に暖房換気乾燥機３０の取付用鍔部３２の上面を当接させ、暖房換気乾燥機３０を螺子止め固定する。取付片８１Ｃの上面には補強金具８２が螺子止め固定されている。これにより、取付片８１Ｃの強度を補強し、暖房換気乾燥機３０を確実に保持することができる。
【００５１】
実施例３の天井ユニットＵでは、フロントパネル４０は、開口１１の周縁部の内側に配置されている。また、フロントパネル４０の下面は外周側に隣接する天井パネル１０の天井面１４と略面一である。したがって、実施例４の天井ユニットＵも、フロントパネル４０を容易に取り外すことができ、すっきりとした外観を得ることができる。
【００５２】
本発明は、上記記述及び図面によって説明した実施例１〜４に限定されるものではなく、例えば次のような実施例も本発明の技術的範囲に含まれる。
（１）上記実施例１〜４では、暖房換気乾燥機が天井ユニットに組み付けられているが、単機能の空調機、例えば、暖房機、換気扇、乾燥機、冷房機等を組み付けてもよい。また、照明やスピーカー等を組み付けてもよい。
（２）上記実施例１〜４では、天井ユニットを浴室の天井に用いているが、洗面室、トイレ、キッチン、居間等の浴室以外の天井に用いてもよい。
（３）上記実施例１〜４では、取付部材の取付部が天井パネルよりも高い位置に設けられているが、取付部は天井パネルの上面より低くても天井面よりも高ければよい。
【産業上の利用可能性】
【００５３】
本発明は浴室用天井埋め込み暖房換気乾燥機に利用可能である。
【符号の説明】
【００５４】
１０…天井パネル（天井部材）
１１…開口
１４…天井面
２１、５１、７１、８１Ａ…立上壁
２３、５２、７２、８１Ｃ…取付部（取付片）
３０…暖房換気乾燥機（取付部材）
４０…フロントパネル
【図１】
2010163806.tif 000003
【図２】
2010163806.tif 000004
【図３】
2010163806.tif 000005
【図４】
2010163806.tif 000006
【図５】
2010163806.tif 000007
【図６】
2010163806.tif 000008
【図７】
2010163806.tif 000009
【図８】
2010163806.tif 000010
【図９】
2010163806.tif 000011
【図１０】
2010163806.tif 000012
【図１１】
2010163806.tif 000013